(57)【要約】【課題】肌に対して筆記することができ、使用後に容易に洗い落とすことができる肌用筆記石鹸を提供する。【解決手段】脂肪酸アルカノールアミド１００重量部に対して、脂肪酸アルカリ５〜５００重量部と、ポリエチレングリコール０．５〜２重量部と、青色法定色素または赤色法定色素０．０５〜０．１５重量部と、溶剤４〜１０重量部とを具備する肌用筆記石鹸。青色法定色素または赤色法定色素０．０５〜０．１５重量部の代わりに黄色法定色素０．０５〜０．５重量部、黒色顔料１．０〜２．０重量部、または白色顔料０．５〜２．０重量部であってもよい。【選択図】  なし【特許請求の範囲】
【請求項１】
脂肪酸アルカノールアミド１００重量部に対して、脂肪酸アルカリ５〜５００重量部と、ポリエチレングリコール０．５〜２重量部と、青色法定色素または赤色法定色素０．０５〜０．１５重量部と、溶剤４〜１０重量部とを具備することを特徴とする肌用筆記石鹸。
【請求項２】
脂肪酸アルカノールアミド１００重量部に対して、脂肪酸アルカリ５〜５００重量部と、ポリエチレングリコール０．５〜２重量部と、黄色法定色素０．０５〜０．５重量部と、溶剤４〜１０重量部とを具備することを特徴とする肌用筆記石鹸。
【請求項３】
脂肪酸アルカノールアミド１００重量部に対して、脂肪酸アルカリ５〜５００重量部と、ポリエチレングリコール０．５〜２重量部と、黒色顔料１．０〜２．０重量部と、溶剤４〜１０重量部とを具備することを特徴とする肌用筆記石鹸。
【請求項４】
脂肪酸アルカノールアミド１００重量部に対して、脂肪酸アルカリ５〜５００重量部と、ポリエチレングリコール０．５〜２重量部と、白色顔料０．５〜２．０重量部と、溶剤４〜１０重量部とを具備することを特徴とする肌用筆記石鹸。
【請求項５】
請求項１ないし４の何れか一記載の肌用筆記石鹸が必要に応じた分量で複数種類組み合わされて所望の色となされたことを特徴とする肌用筆記石鹸。
【請求項６】
脂肪酸アルカノールアミド１００重量部に対して、脂肪酸アルカリ４００〜５００重量部として押出製造を容易にした請求項１ないし５の何れか一記載の肌用筆記石鹸。
【発明の詳細な説明】
【技術分野】
【０００１】
本発明は、肌に対してクレヨンのように筆記できる肌用の筆記可能石鹸に関するものである。
【背景技術】
【０００２】
従来より、人体の肌等にペイントする場合の絵の具としては、メーキャップ用水性絵の具や、手術用マーキングとして使用される油性絵の具や、ゴム皮膜を形成するゴムラテックス絵の具などが知られている。
【特許文献１】特開２００３−２７７２３２号公報
【発明の開示】
【発明が解決しようとする課題】
【０００３】
しかし、水性絵の具の場合、充分な乾燥時間を持たなければならず、ペイント後、乾燥させたとしても汗や水ですぐに流れ落ちてしまうこととなる。また、乾燥させる必要があるので、浴室などの湿度の高い場所では使用することができない。
【０００４】
油性絵の具の場合、汗や水で色落ちすることは無いが、逆に色を落とす際に石鹸などで充分に洗浄しなければならず、一回の洗浄で落ちない場合が多い。特に肌以外の衣服などの布地にペイントした場合、何回洗濯しても色を落とせないといった不都合を生じこととなる。また、浴室などで使用すると、水分によって筆先表面の油性絵の具が固化してしまい、その後ペイントできなくなってしまう。
【０００５】
ゴムラテックス絵の具の場合、充分な乾燥時間を持たなければならず、色を落とす際には、乾燥した絵の具の皮膜がゴミとして発生することとなる。また、乾燥させる必要があるので、浴室などの湿度の高い場所では使用することができない。
【０００６】
本発明は、係る実情に鑑みてなされたものであって、肌に対して筆記することができ、使用後に容易に洗い落とすことができる肌用筆記石鹸を提供することを目的としている。  
【課題を解決するための手段】
【０００７】
上記課題を解決するための本発明の肌用筆記石鹸は、脂肪酸アルカノールアミド１００重量部に対して、脂肪酸アルカリ５〜５００重量部と、ポリエチレングリコール０．５〜２重量部と、染料０．０５〜２．０重量部と、溶剤４〜１０重量部とを具備するものである。
【０００８】
脂肪酸アルカノールアミドは、色の分散性向上、固形安定化、移染防止効果向上および泡の安定化を図るために用いられる。この脂肪酸アルカノールアミドの具体的なものとしては、Ｃ12〜Ｃ18の脂肪酸モノエタノールアミン、脂肪酸ジエタノールアミン、脂肪酸トリエタノールアミンが挙げられる。
【０００９】
脂肪酸アルカリは、洗浄力を有する石鹸が用いられる。この脂肪酸アルカリの具体的なものとしては、ナトリウム石鹸、カリ石鹸、アミン石鹸などが挙げられるが、これらの中でも簡単に液状から固体状にし易いことからアミン石鹸を用いることが最も好ましい。この脂肪酸アルカリは、脂肪酸アルカノールアミド１００重量部に対して５〜５００重量部の範囲で用いられる。５重量部未満だと充分な洗浄力が得られないので、後で色を落とすことができなくなる。５００重量部を越えると効果が飽和してしまい無駄になってしまう。５重量部以上４００重量部未満の範囲では、型流し込みの製造に適している。４００重量部以上５００重量部以下の範囲では、押出製造に適している。押出製造の方が大量生産に向いているので好適である。
【００１０】
ポリエチレングリコールは、肌用筆記石鹸の溶け崩れ防止、ひび割れ防止など硬さ調整を行うために使用される。このポリエチレングリコールの具体的なものとしては、分子量４０００〜３０００００程度の範囲のものが用いられる。このポリエチレングリコールは、脂肪酸アルカノールアミド１００重量部に対して０．５重量部〜２．０重量部の範囲で用いることができる。この０．５重量部〜２．０重量部の範囲は、使用するポリエチレングリコールの分子量に応じて決定される。すなわち、使用するポリエチレングリコールの分子量が高い場合（分子量が３０００００程度）は０．５重量部程度が使用され、逆に分子量が低い場合（分子量が４０００程度）は２．０重量部程度が使用される。このポリエチレングリコールの使用量が少ない場合は、充分な硬さを保つことができず、溶け崩れの原因になり、また、使用量が多い場合は、硬くなり過ぎてひび割れ易くなり、筆記が困難になる。
【００１１】
染料は、化粧品などで用いられている法定色素が用いられる。この染料は、脂肪酸アルカノールアミド１００重量部に対して０．０５重量部〜２．０重量部の範囲で用いられる。この染料の使用量は、製造する肌用筆記石鹸の色に応じて適宜調整される。例えば、青色および赤色の肌用筆記石鹸の場合、使用される青色法定色素および赤色法定色素の量は、０．０５重量部〜０．１５重量部、好ましくは０．１重量部が良い。０．０５重量部未満では充分な青色および赤色を表現することができず、０．１５重量部を越えると、効果が飽和するとともに、色落としが困難になる。同様の理由で黄色、オレンジ色の肌用筆記石鹸の場合は、使用される黄色法定色素およひオレンジ色法定色素の量は、０．０５重量部〜１．０重量部、好ましくは０．５重量部が良い。黒色、白色および灰色の肌用筆記石鹸の場合、顔料が使用される。黒色の肌用筆記石鹸の場合、使用される黒色顔料の量は、１．０重量部〜２．０重量部が好ましい。１．０重量部未満では充分な黒色を表現することができず、２．０重量部を越えると、効果が飽和するとともに、色落としが困難になる。同様の理由で白色および灰色の肌用筆記石鹸の場合、使用される白色顔料および灰色顔料の量は、０．５重量部〜２．０重量部が好ましい。灰色顔料は黒色顔料と白色顔料とを混合して調製される。その他の各色については、上記染料および顔料の組み合わせによって調製される。
【００１２】
溶剤は、１・３ＢＧと水とを１：１の容量割合で混合したものが用いられる。この溶剤は、肌用筆記石鹸製造時の原料の流動性を確保して製造作業効率の向上を図るために使用される。したがって、この溶剤の使用量は、肌用筆記石鹸の製造環境に応じて適宜調整されるが、脂肪酸アルカノールアミド１００重量部に対して４重量部〜１０重量部の範囲で用いられる。
【００１３】
なお、上記原料以外に、この肌用筆記石鹸には、耐候性の向上を図るためのＵＶ吸収剤や、劣化防止を図るための酸化防止剤などが添加される。ＵＶ吸収剤としては、水溶性ベンゾトリアゾール系のものを用いることができる。特にＮｏ．４，Ｎｏ．５を用いることが好ましい。このＵＶ吸収剤の使用量は、脂肪酸アルカノールアミド１００重量部に対して０．０５重量部〜０．５重量部の範囲で、肌用筆記石鹸に用いられる染料に応じて決定される。また、酸化防止剤としては、ＤＬトコフェノールなどを用いることができる。この酸化防止剤は、脂肪酸アルカノールアミド１００重量部に対して０．０５重量部〜１．０重量部の範囲で使用される。
【００１４】
肌用筆記石鹸は、上記原料を基に、通常の石鹸の製造方法と同様の製造工程で製造することで、クレヨンのように筆記ができる石鹸として製造することができる。
【００１５】
この肌用筆記石鹸は、単に棒状に形成しただけであっても良いし、棒状に形成してその外表面を防水性のフィルム材で被覆して筆記する毎にフィルムを剥がすように構成したものであっても良いし、口紅やスティック糊のように容器から容易に出没できるように構成したものであっても良い。
【００１６】
このようにして構成される肌用筆記石鹸は、例えば、浴室内において、子供が体に落書きをしたり、鏡やタイルに落書きをしたりして遊ぶことができる。この場合、多少の水に濡れても、色落ちせずに落書きした文字や絵が保たれる。落書きを落とす場合は、落書き箇所を擦れば泡立ち、通常の石鹸として機能するので簡単に洗い流すことができる。
【００１７】
また、浴室内や体以外にも、例えば、衣服などに落書きした場合であっても、そのまま水洗いするだけで簡単に落書きを落とすことができ、しかも衣類を洗浄することができる。
【００１８】
さらに、この肌用筆記石鹸は、いわゆるホワイトボードに記載するマーカーの代わりに使用することもできる。
【発明の効果】
【００１９】
以上述べたように、本発明によると、人体の肌を含めて通常のクレヨンで筆記可能な場所であれば容易に筆記することができ、しかも、筆記した部分は、多少の水をかぶっても色落ちすることは無いが、水をかけて擦れば泡立って洗浄剤としての機能を果たし、完全に色を落とすことができる。
【発明を実施するための最良の形態】
【００２０】
次に、本発明を実施例によってさらに具体的に説明する。
【００２１】
［実施例１〜１５、比較例１〜２５］
脂肪酸モノエタノールアミンと脂肪酸ジエタノールアミンとを４：１の割合とした脂肪酸アルカノールアミド１００重量部に対し、脂肪酸アルカリとしてアミン石鹸５重量部と、赤色法定色素０．１重量部と、ポリエチレングリコール２．０重量部と、ＵＶ吸収剤０．５重量部と、酸化防止剤０．１重量部とを用いて肌用筆記石鹸の製造を行った。
【００２２】
このようにして製造した肌用筆記石鹸について、繊維への移染、肌への移染、肌への展着性を評価した。
【００２３】
繊維への移染については、３ｃｍ×３ｃｍの大きさの１００％綿布に肌用筆記石鹸で筆記した後、この綿布を５００ｃｃビーカーの中で４００ｃｃの水とともに２０分間攪拌し、その後の綿布の状態から目視により確認した。
【００２４】
肌への移染については、手の甲に肌用筆記石鹸で直接筆記した後、通常の手洗いを行い、その後の手の甲の状態から目視により確認した。
【００２５】
肌への展着性については、肌用筆記石鹸を直接肌に筆記し、良好な筆記状態が得られたか否かや良好に筆記できたか否かを、肌の状態から目視により確認した。
【００２６】
表１および表２に示すように、各種組成において、それぞれ実施例１〜１５、比較例１〜２５に係る肌用筆記石鹸を製造し、それぞれの評価を行った。
【００２７】
結果を表１および表２に示す。
【００２８】
【表１】
2005225963.tif 000002
【００２９】
【表２】
2005225963.tif 000003
表１および表２の結果から、本発明に係る肌用筆記石鹸は、肌への移染もなく安心して使用できることが確認できる。
【産業上の利用可能性】
【００３０】
肌に筆記可能な石鹸として、浴室での子供の遊び道具として利用できる。